(57)【要約】【課題】短時間でオモリを撤去することができるエレベーターのオモリ撤去装置を提供する。【解決手段】エレベーターのオモリ撤去装置は、エレベーターのオモリを支持したオモリ枠の側と乗場の側との間に渡されるガイド体と、前記オモリを支持した状態で前記ガイド体に沿って移動し得るように設けられた支持体と、を備えた。当該構成によれば、支持体は、オモリを支持した状態でガイド体に沿って移動する。このため、支持体をガイド体に沿ってオモリ枠の側から乗場の側まで容易に移動させることができる。その結果、短時間でオモリを撤去することができる。【選択図】図３
2019081640.tif 000002
【特許請求の範囲】
【請求項１】
エレベーターのオモリを支持したオモリ枠の側と乗場の側との間に渡されるガイド体と、
前記オモリを支持した状態で前記ガイド体に沿って移動し得るように設けられた支持体と、
を備えたエレベーターのオモリ撤去装置。
【請求項２】
前記ガイド体は、前記オモリ枠の側から最下階の乗場の側に向かって下方に傾斜した請求項１に記載のエレベーターのオモリ撤去装置。
【請求項３】
前記オモリを支持した前記支持体を前記ガイド体の前記オモリ枠の側まで引き上げる引上装置、
を備えた請求項１または請求項２に記載のエレベーターのオモリ撤去装置。
【請求項４】
前記オモリ枠の上方において、前記オモリ枠を案内する一対のガイドレールにそれぞれ固定される一対の固定具と、
前記一対の固定具にまたがって連結され、前記ガイド体における前記オモリ枠の側を支持するワイヤと、
を備え、
前記引上装置は、前記オモリ枠の上方において、前記一対のガイドレールの一方に固定され、前記支持体を支持したロープの先端部を前記一対のガイドレールの他方の側の固定具に連結し、前記ロープを巻き上げることにより前記支持体を引き上げる請求項３に記載のエレベーターのオモリ撤去装置。
【請求項５】
前記ガイド体の前記乗場の側を前記乗場の床面から浮かせた状態で保持する保持体、
を備えた請求項１から請求項４のいずれか１項に記載のエレベーターのオモリ撤去装置。
【請求項６】
エレベーターのオモリを支持したオモリ枠と乗場との間にガイド体を渡す設置工程と、
前記オモリを支持体で支持する支持工程と、
前記オモリを支持した前記支持体を前記ガイド体に沿って前記オモリ枠の側から前記乗場の側まで移動させる移動工程と、
を備えたエレベーターのオモリ撤去方法。
【請求項７】
前記設置工程は、前記オモリ枠の側から最下階の乗場の側に向かって下方に傾斜するように前記ガイド体を配置する工程を含む請求項６に記載のエレベーターのオモリ撤去方法。
【請求項８】
前記支持工程の後、引上装置を用いて前記オモリを支持した前記支持体を前記ガイド体の前記オモリ枠の側まで引き上げる引上工程、
を備えた請求項６または請求項７に記載のエレベーターのオモリ撤去方法。
【請求項９】
前記オモリの上方において、前記オモリ枠を案内する一対のガイドレールにそれぞれ一対の固定具を固定する固定工程と、
前記一対の固定具にまたがるようにワイヤを連結する連結工程と、
を備え、
前記引上工程は、前記一対のガイドレールの一方に前記引上装置を固定し、前記引上装置のロープで前記支持体を支持し、前記ロープの先端部を前記一対のガイドレールの他方の側の固定具に連結し、前記ロープを巻き上げることにより前記支持体を引き上げる工程を含む請求項８に記載のエレベーターのオモリ撤去方法。
【請求項１０】
前記移動工程の前に、前記支持体の前記乗場の側を前記乗場の床面から浮かせた状態で保持体により保持する保持工程、
を備えた請求項６から請求項９のいずれか１項に記載のエレベーターのオモリ撤去方法。
【発明の詳細な説明】
【技術分野】
【０００１】
この発明は、エレベーターのオモリ撤去装置およびオモリ撤去方法に関する。
【背景技術】
【０００２】
特許文献１は、エレベーターのオモリ装置を開示する。当該オモリ装置において、複数のオモリは、オモリ枠の内部において鉛直方向に積まれる。
【先行技術文献】
【特許文献】
【０００３】
【特許文献１】特開２０１６−２１０５５８号公報
【発明の概要】
【発明が解決しようとする課題】
【０００４】
例えば、エレベーターの更新時において、複数のオモリの各々は、オモリ枠から取り外される。その後、複数のオモリの各々は、乗場に撤去される。この際、複数の作業員が複数のオモリの各々を手作業で乗場まで移動させる。その結果、オモリを撤去する際の作業時間が長くなる。
【０００５】
この発明は、上述の課題を解決するためになされた。この発明の目的は、短時間でオモリを撤去することができるエレベーターのオモリ撤去装置およびオモリ撤去方法を提供することである。
【課題を解決するための手段】
【０００６】
この発明に係るエレベーターのオモリ撤去装置は、エレベーターのオモリを支持したオモリ枠の側と乗場の側との間に渡されるガイド体と、前記オモリを支持した状態で前記ガイド体に沿って移動し得るように設けられた支持体と、を備えた。
【０００７】
この発明に係るエレベーターのオモリ撤去方法は、エレベーターのオモリを支持したオモリ枠と乗場との間にガイド体を渡す設置工程と、前記オモリを支持体で支持する支持工程と、前記オモリを支持した前記支持体を前記ガイド体に沿って前記オモリ枠の側から前記乗場の側まで移動させる移動工程と、を備えた。
【発明の効果】
【０００８】
これらの発明によれば、支持体は、オモリを支持した状態でガイド体に沿って移動する。このため、支持体をガイド体に沿ってオモリ枠の側から乗場の側まで容易に移動させることができる。その結果、短時間でオモリを撤去することができる。
【図面の簡単な説明】
【０００９】
【図１】実施の形態１におけるエレベーターのオモリ撤去装置が適用されるエレベーターの構成図である。
【図２】実施の形態１におけるエレベーターのオモリ撤去装置が適用されるエレベーターのオモリ装置の正面図である。
【図３】実施の形態１におけるエレベーターのオモリ撤去装置を用いたオモリ装置の撤去方法の詳細を説明するための斜視図である。
【図４】実施の形態１におけるエレベーターのオモリ撤去装置を用いたオモリ装置の撤去方法の詳細を説明するための斜視図である。
【図５】実施の形態１におけるエレベーターのオモリ撤去装置を用いたオモリ装置の撤去方法の詳細を説明するための斜視図である。
【図６】実施の形態１におけるエレベーターのオモリ撤去装置を用いたオモリ装置の撤去方法の詳細を説明するための斜視図である。
【図７】実施の形態１におけるエレベーターのオモリ撤去装置を用いたオモリ装置の撤去方法の詳細を説明するための斜視図である。
【図８】実施の形態１におけるエレベーターのオモリ撤去装置を用いたオモリ装置の撤去方法の詳細を説明するための斜視図である。
【図９】実施の形態１におけるエレベーターのオモリ撤去装置を用いたオモリ装置の撤去方法の詳細を説明するための斜視図である。
【図１０】実施の形態１におけるエレベーターのオモリ撤去装置の支持体の側面図である。
【図１１】実施の形態１におけるエレベーターのオモリ撤去装置の支持体の側面図である。
【図１２】実施の形態１におけるエレベーターのオモリ撤去装置の支持体の正面図である。
【図１３】実施の形態２におけるエレベーターのオモリ撤去装置の支持体の側面図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略される。
【００１１】
実施の形態１．
図１は実施の形態１におけるエレベーターのオモリ撤去装置が適用されるエレベーターの構成図である。
【００１２】
図１のエレベーターにおいて、昇降路１は、建築物の各階を貫く。機械室２は、昇降路１の直上に設けられる。
【００１３】
巻上機３は、機械室２に設けられる。綱車３ａは、巻上機３の回転軸に取り付けられる。そらせ車４は、機械室２に設けられる。そらせ車４は、巻上機３に隣接する。主ロープ５は、綱車３ａとそらせ車４とに巻き掛けられる。
【００１４】
かご６は、昇降路１の内部に設けられる。かご６は、主ロープ５の一側に支持される。オモリ装置７は、昇降路１の内部に設けられる。オモリ装置７は、主ロープ５の他側に支持される。
【００１５】
エレベーターにおいて、巻上機３は、図示されない制御装置からの指令に基づいて回転する。主ロープ５は、巻上機３の回転に追従して移動する。かご６とオモリ装置７とは、主ロープ５の移動に追従して反対方向に昇降する。
【００１６】
次に、図２を用いて、オモリ装置７を説明する。
図２は実施の形態１におけるエレベーターのオモリ撤去装置が適用されるエレベーターのオモリ装置の正面図である。
【００１７】
図２に示されるように、オモリ装置７は、オモリ枠７ａと複数のオモリ７ｂとを備える。
【００１８】
オモリ枠７ａは、一対のガイドレール８に鉛直方向に案内され得るように設けられる。具体的には、オモリ枠７ａの外形は、矩形状に形成される。オモリ枠７ａは、一対の切り欠き部を備える。一対の切り欠き部は、オモリ枠７ａの上部に形成される。
【００１９】
複数のオモリ７ｂの各々は、オモリ枠７ａの一対の切り欠き部を介してオモリ枠７ａの内部に挿入され得るように設けられる。複数のオモリ７ｂは、オモリ枠７ａの内部で鉛直方向に積まれる。複数のオモリ７ｂの総重量は、かご６の重量に応じて設定される。例えば、複数のオモリ７ｂの各々の重量は、１５ｋｇ重程度に設定される。
【００２０】
次に、図３を用いて、オモリ７ｂの撤去方法の概要を説明する。
図３は実施の形態１におけるエレベーターのオモリ撤去装置を用いたオモリの撤去方法の概要を説明するための斜視図である。
【００２１】
例えば、エレベーターの更新時において、複数のオモリ７ｂを撤去する必要がある。この際、図３に示されるように、作業員は、オモリ撤去装置９を用いてオモリ７ｂを撤去する。
【００２２】
具体的には、オモリ撤去装置９は、ガイド体１０と支持体１１とを備える。
【００２３】
例えば、ガイド体１０は、レールで形成される。例えば、ガイド体１０は、ロープで形成される。ガイド体１０は、オモリ枠７ａの側と乗場１２の側との間に渡される。例えば、ガイド体１０は、オモリ枠７ａの側から最下階の乗場１２の側に向かって下方に傾斜するように配置される。
【００２４】
支持体１１は、オモリ７ｂを支持し得るように設けられる。支持体１１は、ガイド体１０に沿って移動し得るように設けられる。
【００２５】
作業員は、オモリ７ｂを支持体１１に収納する。その結果、オモリ７ｂは、支持体１１に支持される。この状態において、作業員は、オモリ７ｂを支持した支持体１１をガイド体１０に沿ってオモリ枠７ａの側から最下階の乗場１２の側に向かって移動させる。その後、作業員は、オモリ７ｂを支持した支持体１１を最下階の乗場１２に移動する。その後、作業員は、支持体１１からオモリ７ｂを取り外す。
【００２６】
次に、図４から図９を用いて、オモリ装置７の撤去方法の詳細を説明する。
図４から図９は実施の形態１におけるエレベーターのオモリ撤去装置を用いたオモリ装置の撤去方法の詳細を説明するための斜視図である。
【００２７】
図４に示されるように、オモリ撤去装置９は、一対の固定具１３とワイヤ１４と保持体１５と引上装置１６とを備える。
【００２８】
一対の固定具１３の一方は、オモリ枠７ａの上方において一対のガイドレール８の一方に固定される。一対の固定具１３の他方は、オモリ枠７ａの上方において一対のガイドレール８の他方に固定される。
【００２９】
ワイヤ１４は、一対の固定具１３にまたがって連結される。
【００３０】
例えば、引上装置１６は、電動ウインチで形成される。引上装置１６は、オモリ枠７ａの上方かつ一対の固定具１３の一方の直上において一対のガイドレール８の一方に固定される。
【００３１】
保持体１５は、最下階の乗場１２に設けられる。保持体１５は、ガイド体１０の乗場１２の側を乗場１２の床面から浮かせた状態で保持する。
【００３２】
図５に示されるように、作業員は、最上段のオモリ７ｂを支持した支持体１１の上部に対して引上装置１６のロープをかける。この状態において、作業員は、ロープの先端部のフック部を一対のガイドレール８の他方の側の固定具１３に連結する。
【００３３】
その後、図６に示されるように、作業員は、引上装置１６によりロープを巻き上げる。その結果、最上段のオモリ７ｂは、オモリ枠７ａの切り欠き部まで引き上げられる。
【００３４】
その後、図７に示されるように、作業員は、ガイド体１０におけるオモリ枠７ａの側をワイヤ１４に支持させる。その後、作業員は、ガイド体１０に支持体１１の上部を案内させる。その後、作業員は、引上装置１６のロープの先端部を一対のガイドレール８の他方の側の固定具１３との連結から解放することにより引上装置１６のロープによる支持体１１の支持を解放する。
【００３５】
その後、図８に示されるように、作業員は、オモリ７ｂを支持した支持体１１をガイド体１０に沿ってオモリ枠７ａの側から乗場１２の側まで移動させる。
【００３６】
その後、図９に示されるように、作業員は、支持体１１をガイド体１０から乗場１２の床面に移動させる。その後、作業員は、支持体１１からオモリ７ｂを取り外す。その結果、オモリ７ｂが撤去される。
【００３７】
複数のオモリ７ｂの各々に対し、作業員は、これらの作業を繰り返す。その結果、複数のオモリ７ｂの各々は、オモリ枠７ａから乗場１２に撤去される。
【００３８】
次に、図１０から図１２を用いて、支持体１１を説明する。
図１０と図１１とは実施の形態１におけるエレベーターのオモリ撤去装置の支持体の側面図である。図１２は実施の形態１におけるエレベーターのオモリ撤去装置の支持体の正面図である。
【００３９】
図１０から図１２に示されるように、支持体１１は、支持部１１ａとふた部１１ｂと固定部１１ｃと連結部１１ｄと把持部１１ｅとを備える。
【００４０】
支持部１１ａは、水平部と垂直部とを備える。当該水平部は、オモリ７ｂの中央部を支持し得るように設けられる。当該水平部の手前側の縁部の下部は、面取り部を備える。当該面取り部は、当該水平部の手前側に行くにつれて当該水平部の厚みが薄くなるように形成される。当該垂直部の下縁部は、当該水平部の奥側の縁部に連結される。
【００４１】
ふた部１１ｂは、水平部と垂直部とを備える。当該水平部は、支持部１１ａの水平部の上方に配置される。当該水平部の奥側の縁部は、支持部１１ａの垂直部の上縁部に回転自在に連結される。当該垂直部の上縁部は、当該水平部の手前側の縁部に連結される。
【００４２】
例えば、固定部１１ｃは、一対のピンで形成される。固定部１１ｃは、ふた部１１ｂの垂直部の下縁部に着脱自在に連結される。固定部１１ｃは、支持部１１ａの水平部の手前側の縁部とふた部１１ｂの垂直部の下縁部との連結を維持し得るよう設けられる。具体的には、固定部１１ｃは、支持部１１ａの水平部の手前側の縁部とふた部１１ｂの垂直部の下縁部とが連結された状態において支持部１１ａの水平部の手前側の縁部の下方に配置されるように設けられる。
【００４３】
例えば、連結部１１ｄは、アイボルトで形成される。連結部１１ｄは、ふた部１１ｂの水平部の中央部に設けられる。連結部１１ｄは、引上装置１６のロープに支持され得る貫通部を備える。
【００４４】
把持部１１ｅは、支持部１１ａの垂直部に設けられる。把持部１１ｅは、作業員に把持され得るように設けられる。
【００４５】
以上で説明した実施の形態１によれば、支持体１１は、オモリ７ｂを支持した状態でガイド体１０に沿って移動する。このため、支持体１１をガイド体１０に沿ってオモリ枠７ａの側から乗場１２の側まで容易に移動させることができる。その結果、短時間でオモリ７ｂを撤去することができる。
【００４６】
この際の作業は、昇降路１のピットにおいて一人の作業員で行うことができる。このため、昇降路１のピットにおいて、作業に要する領域を十分に確保することができる。
【００４７】
また、ガイド体１０は、オモリ枠７ａの側から最下階の乗場１２の側に向かって下方に傾斜する。このため、オモリ７ｂの自重を利用して支持体１１をガイド体１０に沿ってオモリ枠７ａの側から乗場１２の側まで移動させることができる。
【００４８】
また、引上装置１６は、オモリ７ｂを支持した支持体１１をガイド体１０のオモリ枠７ａの側まで引き上げる。具体的には、引上装置１６は、ロープを巻き上げることによりオモリ７ｂがオモリ枠７ａの一対の切り欠き部まで引き上がるように支持体１１を引き上げる。このため、支持体１１をガイド体１０まで容易に引き上げることができる。
【００４９】
また、保持体１５は、ガイド体１０の乗場１２の側を乗場１２の床面から浮かせた状態で保持する。このため、オモリ７ｂを支持した支持体１１を乗場１２の床面に容易に移動させることができる。
【００５０】
なお、支持体１１において、支持部１１ａの面取り部は、水平部の手前側に行くにつれて水平部の厚みが薄くなるように形成される。このため、支持部１１ａの手前側の縁部を最上段のオモリ７ｂと直下のオモリ７ｂとの間に容易に差し込むことができる。その結果、支持体１１に用いてオモリ７ｂを容易に支持することができる。
【００５１】
実施の形態２．
図１３は実施の形態２におけるエレベーターのオモリ撤去装置の支持体の側面図である。なお、実施の形態１と同一または相当部分には、同一符号が付される。当該部分の説明は省略される。
【００５２】
実施の形態２の支持体１１は、万力の機構を備える。当該支持体１１は、オモリ７ｂを前後方向から挟み込んで支持する。
【００５３】
以上で説明した実施の形態２によれば、オモリ撤去装置９は、オモリ７ｂを前後方向から挟み込んで支持する。このため、簡単な構成でオモリ７ｂを支持することができる。
【００５４】
なお、機械室２のないエレベーターに実施の形態１または実施の形態２のオモリ撤去装置９を適用してもよい。この場合も、支持体１１をガイド体１０に沿ってオモリ枠７ａの側から乗場１２の側まで容易に移動させることができる。その結果、短時間でオモリ７ｂを撤去することができる。
【００５５】
なお、オモリ枠７ａの耐震強度を高める作業を行うために一時的にオモリ７ｂを撤去する際に、実施の形態１または実施の形態２のオモリ撤去装置９を適用してもよい。この場合も、支持体１１をガイド体１０に沿ってオモリ枠７ａの側から乗場１２の側まで容易に移動させることができる。その結果、短時間でオモリ７ｂを撤去することができる。
【符号の説明】
【００５６】
１  昇降路、  ２  機械室、  ３  巻上機、  ３ａ  綱車、  ４  そらせ車、  ５  主ロープ、  ６  かご、  ７  オモリ装置、  ７ａ  オモリ枠、  ７ｂ  オモリ、  ８  ガイドレール、  ９  オモリ撤去装置、  １０  ガイド体、  １１  支持体、  １１ａ  支持部、  １１ｂ  ふた部、  １１ｃ  固定部、  １１ｄ  連結部、  １１ｅ  把持部、  １２  乗場、  １３  固定具、  １４  ワイヤ、  １５  保持体、  １６  引上装置
【図１】
2019081640.tif 000003
【図２】
2019081640.tif 000004
【図３】
2019081640.tif 000005
【図４】
2019081640.tif 000006
【図５】
2019081640.tif 000007
【図６】
2019081640.tif 000008
【図７】
2019081640.tif 000009
【図８】
2019081640.tif 000010
【図９】
2019081640.tif 000011
【図１０】
2019081640.tif 000012
【図１１】
2019081640.tif 000013
【図１２】
2019081640.tif 000014
【図１３】
2019081640.tif 000015